(57)【要約】      （修正有）【課題】飲料容器が擦れることで光拡散部が摩耗するのを、遮光部材の保護効果などによって防止し得るようにし、長期間に亘って高い照明効果が得られるようにする。【解決手段】底面２と側壁面３とを有して飲料容器４を収容保持可能な有底容器状のカップホルダ本体５を備えたカップホルダ１に関する。上記カップホルダ本体５の底面２に、導光体１１を設置する。この導光体１１に対し、光源１２からの光１３を入光する入光部と、反射部と、出射部と、を設ける。この出射部の表面に対し、出射される照明光１３ａを拡散させて均一化し得るようにする光拡散部を設ける。更に、上記導光体１１の上部に、上記出射部を除いて導光体１１を覆う遮光部材１９を設ける。【選択図】図３
2015229455.tif 000002
【特許請求の範囲】
【請求項１】
底面と側壁面とを有して飲料容器を収容保持可能な有底容器状のカップホルダ本体を備えたカップホルダにおいて、
前記カップホルダ本体の底面に、該底面を覆う透明な導光体を設置し、
該導光体に対し、光源からの光を入光する入光部と、該入光部から入光された光を底面の外周側へ向けて反射させる反射部と、該反射部で反射された光を底面の外周縁部に沿って上方へ出射させる出射部と、を設けると共に、
該出射部の表面に対し、出射される照明光を拡散させて均一化し得るようにする光拡散部を設け、
更に、前記導光体の上部に、前記出射部を除いて導光体を覆う遮光部材を設けたことを特徴とするカップホルダ。
【請求項２】
請求項１に記載のカップホルダであって、
前記出射部は、前記遮光部材の表面と同じかそれよりも低い摩耗防止用高さを有することを特徴とするカップホルダ。
【請求項３】
請求項１または請求項２に記載のカップホルダであって、
前記出射部は、出射された光がカップホルダ本体の側壁面を下側から照らし上げるように見せる側壁照明用出射幅とされたことを特徴とするカップホルダ。
【請求項４】
請求項１ないし請求項３のいずれか１項に記載のカップホルダであって、
前記導光体と前記遮光部材とは、二色成形によって一体に成形された二色成形体であることを特徴とするカップホルダ。
【発明の詳細な説明】
【技術分野】
【０００１】
この発明は、カップホルダに関するものである。
【背景技術】
【０００２】
自動車などの車両には、車室内にカップホルダが設けられている。このようなカップホルダには、底面と側壁面とを有して飲料容器を収容保持可能な有底容器状のカップホルダ本体を備えたものが存在している（例えば、特許文献１参照）。
【０００３】
上記カップホルダでは、内部を照明するために、光源からの光を導くようにした導光体などを設けることが行われている。そして、この導光体の出射部の表面に対し、出射部から出射される照明光を拡散させて均一化し得るようにするために、光拡散部を設けることが検討されている。
【先行技術文献】
【特許文献】
【０００４】
【特許文献１】特開２００２−１２０６３０号公報
【発明の概要】
【発明が解決しようとする課題】
【０００５】
上記カップホルダにおける、導光体の出射部の表面に光拡散部を設けるようにした場合、飲料容器が導光体の出射部に擦れることによって、光拡散部が摩耗するおそれがある。そのため、比較的早い段階で光拡散部による照明光の均一化効果が失われてしまうことになる。
【０００６】
そこで、本発明は、上記した問題点を解決することを、主な目的としている。
【課題を解決するための手段】
【０００７】
上記課題を解決するために、本発明は、
底面と側壁面とを有して飲料容器を収容保持可能な有底容器状のカップホルダ本体を備えたカップホルダにおいて、
前記カップホルダ本体の底面に、該底面を覆う透明な導光体を設置し、
該導光体に対し、光源からの光を入光する入光部と、該入光部から入光された光を底面の外周側へ向けて反射させる反射部と、該反射部で反射された光を底面の外周縁部に沿って上方へ出射させる出射部と、を設けると共に、
該出射部の表面に対し、出射される照明光を拡散させて均一化し得るようにする光拡散部を設け、
更に、前記導光体の上部に、前記出射部を除いて導光体を覆う遮光部材を設けたことを特徴としている。
【発明の効果】
【０００８】
本発明によれば、上記構成により、飲料容器が擦れることで光拡散部が摩耗するのを、遮光部材の保護効果などによって防止することができ、長期間に亘って高い照明効果を得ることができる。
【図面の簡単な説明】
【０００９】
【図１】本実施の形態の実施例にかかるカップホルダの斜視図である。
【図２】図１の縦断面図である。
【図３】飲料容器を収容した図２の部分拡大断面図である。
【図４】別の飲料容器を収容した図２の部分拡大断面図である。
【図５】カップホルダの底面における中心部分の拡大断面図である。
【図６】カップホルダの底面における外周部分の拡大断面図である。
【図７】導光体を上方から見た図である。
【発明を実施するための形態】
【００１０】
以下、本実施の形態を、図面を用いて詳細に説明する。
図１〜図７は、この実施の形態を説明するためのものである。
【実施例１】
【００１１】
＜構成＞以下、この実施例の構成について説明する。
【００１２】
自動車などの車両には、車室内に、図１の斜視図、図２の縦断面図に示すような、カップホルダ１が設けられる。このカップホルダ１は、図３または図４の拡大図に示すように、底面２と側壁面３とを有して飲料容器４を収容保持可能な有底容器状のカップホルダ本体５を備えたものとされる。
【００１３】
ここで、「カップホルダ１」は、飲料容器４を２個並べて収容可能な２つの容器収容部を有する二連形状のものとされる。このカップホルダ１は、例えば、運転席と助手席との間に設置されるセンターコンソールなどに設けられる。「カップホルダ本体５」の側壁面３には、飲料容器４の側面を押圧保持可能な可動フラップ７が出入可能に設けられている。この可動フラップ７は、図示しない付勢手段によって突出方向に付勢されている。
【００１４】
そして、上記したような構成に対し、この実施例では、以下のような構成を備えるようにしている。
【００１５】
（１）上記カップホルダ本体５の底面２に、この底面２を覆う透明な導光体１１を設置する。
この導光体１１に対し、図５の部分拡大断面図に示すように、光源１２からの光１３を入光する入光部１４と、この入光部１４から入光された光１３を底面２の外周側へ向けて反射させる第一の反射部１５と、図６に示すように、第一の反射部１５で反射された光１３（光束）を上方へ向けて反射させる第二の反射部１６と、この反射部１５，１６で反射された光１３を底面２の外周縁部に沿って上方へ出射させる出射部１７と、を設ける。
そして、この出射部１７の表面に対し、出射される照明光１３ａを拡散させて均一化し得るようにする光拡散部１８を設ける。
更に、上記導光体１１の上部に、上記出射部１７を除いて導光体１１を覆う遮光部材１９を設ける。
【００１６】
ここで、「導光体１１」は、カップホルダ本体５の底面２と、ほぼ同じ平面形状および大きさを有するものとされる。この場合には、図７に示すように、容器収容部が二連形状となっていることに合わせて、平面視ほぼ円形状のものを一部を重複させて２個連接したような、ほぼ８の字板状のものとされている。導光体１１は、アクリルやポリカーボネートなどの樹脂で構成される。
【００１７】
「光源１２」には、例えば、ＬＥＤなどが用いられる。この光源１２は、導光体１１の中心位置に設けられる。この場合には、導光体１１が平面視ほぼ８の字板状をしているので、二つの（容器収容部の）中心位置に対してそれぞれ設けるようにする。なお、カップホルダ本体５の底面２には、光源１２からの光１３を下方から通すための開口部２１（図３参照）が形成される。この場合、光源１２は開口部２１の下側などに設置される。
【００１８】
「入光部１４」は、導光体１１の下面における、光源１２のほぼ真上となる位置に設けられる。この場合、入光部１４は、開口部２１の下縁部に形成される。入光部１４は、光１３をより広く拡散させるために、球面状の凹部とされている。
【００１９】
第一の「反射部１５」は、導光体１１の上面における、入光部１４の真上の位置に設けられる。この場合、反射部１５は、開口部２１の上縁部に形成される。反射部１５は、光１３を導光体１１の面に沿って放射状に拡散させるように、中心に向かって下り勾配となる円錐状のテーパ面とされている。
【００２０】
第二の「反射部１６」は、導光体１１の外周面の下縁部に設けられる。この場合、反射部１６は、上方へ向けて光１３を案内できるように、反射部１５とほぼ平行なテーパ面とされている。
【００２１】
「出射部１７」は、導光体１１の外周面における反射部１６の上側の位置（外周縁部）に、上方へ突出するように設けられている。「光拡散部１８」は、シボ模様などのような細かい凹凸形状のものなどとされる。「遮光部材１９」は、所要の厚みを有する暗色のエラストマーや樹脂などによって形成される。遮光部材１９は、光拡散部１８を保護するように設置される。
【００２２】
（２）図６に示すように、上記出射部１７は、上記遮光部材１９の表面と同じかそれよりも低い摩耗防止用高さ３１を有するものとされる。
【００２３】
ここで、「摩耗防止用高さ３１」は、遮光部材１９の厚みとの関係で定められる。即ち、摩耗防止用高さ３１は、遮光部材１９の厚みと同じかそれよりも若干低い高さに設定される。好ましくは、摩耗防止用高さ３１は、遮光部材１９の表面よりも僅かに低いものとする。
【００２４】
（３）上記出射部１７は、出射された光１３がカップホルダ本体５の側壁面３を下側から照らし上げるように見せる側壁照明用出射幅４１とされる。
【００２５】
ここで、「側壁面３を下側から照らし上げる」とは、図２に示すように、側壁面３の下部を面状に照明すると共に、この下部の照明が下側から上側へ向かって徐々に薄くなって行くような輝度変化のある照明効果のことである（なお、図では、都合上、白黒逆転した状態に描いている）。「側壁照明用出射幅４１」は、概ね、１ｍｍ程度の範囲のものとされる（例えば、０．５ｍｍ〜１．２ｍｍ）。これは、出射部１７の幅がこれよりも広くなると、底面２の輪郭を強調する平面的な照明に変化してしまい、反対に、出射部１７の幅がこれよりも狭くなると、側壁面３に沿って光１３を十分に照らし上げるだけの光量が得られなくなることによる。なお、少なくとも、側壁面３の下部の照明が届く範囲に対して、蛍光塗料などを塗布しておくようにしても良い。
【００２６】
（４）上記導光体１１と上記遮光部材１９とは、二色成形によって一体に成形された二色成形体５１で構成される。
【００２７】
なお、導光体１１と上記遮光部材１９とは、構造的には、貼り合わせによって一体化することも可能である。
【００２８】
＜作用効果＞この実施例によれば、以下のような作用効果を得ることができる。
【００２９】
（１）カップホルダ１は、底面２と側壁面３とを有する有底容器状のカップホルダ本体５に対し、上方から飲料容器４を挿入することによって、飲料容器４を収容保持することができる。
【００３０】
そして、カップホルダ本体５内に、その底面２を覆うように透明な導光体１１を設置した。これにより、光源１２を点灯すると、光源１２からの光１３は入光部１４から導光体１１内へ入光され、入光部１４から入光された光１３は第一の反射部１５によって導光体１１内をカップホルダ本体５の底面２の外周側へ向けて反射され、外周部で第二の反射部１６によって上側へ反射されて、出射部１７からカップホルダ本体５の底面２の外周縁部に沿って上方へ出射されることになる。これにより、カップホルダ１の内部を照明することが可能となり、側壁面３と底面２との境界部分の位置や側壁面３の形状が把握し易くなる。以って、カップホルダ本体５の位置を確認し易くして、カップホルダ本体５に対する飲料容器４の出し入れを容易化することができる。また、飲料容器４や飲料が透明である場合には、これらを光らせることができる。
【００３１】
この際、出射部１７の表面に光拡散部１８を設けた。これにより、出射部１７から出射される照明光１３ａを拡散させて、照明の均一化を図ることができる。その結果、照明の見栄えを向上することができる。
【００３２】
更に、導光体１１の上部に、出射部１７を除いて導光体１１を覆う遮光部材１９を設けた。これにより、底面２の全面ではなく、側壁面３と底面２との境界部分に沿った照明を行うことができる。その結果、照明効果を高めることができる。
【００３３】
そして、飲料容器４は、通常、下狭まり形状となっているため、遮光部材１９の上に置かれることになると共に、出射部１７および光拡散部１８は、飲料容器４の底面を避けるようにカップホルダ本体５の側壁面３と底面２との境界（コーナー部）に沿って設置されていることにより、飲料容器４の擦れによる光拡散部１８の摩耗を低減しまたは防止し易くすることができる。
【００３４】
（２）出射部１７を、遮光部材１９の表面と同じかそれよりも低い摩耗防止用高さ３１を有するものとした。これにより、仮に飲料容器４の底面が出射部１７の上に置かれてしまうようなことが起こっても、飲料容器４による擦れをなくしたりまたは抑えたりして、光拡散部１８の摩耗を低減または防止することができる。その結果、照明光１３ａの均一化効果を長期間に亘って持続することができる。
【００３５】
（３）出射部１７を、側壁照明用出射幅４１にして、出射部１７から出射された光１３によって、カップホルダ本体５の側壁面３を下側から照らし上げるように照明させるようにした。これにより、側壁面３が面で照明されることになるので、外部から照明を見易くすると共に、立体感のある照明を行うことができる。しかも、上へ行くに従って徐々に薄くなって行くような光の膜が生じるので、あたかもオーロラのような神秘的で高級感のある照明効果を演出することが可能となる。なお、出射部１７を側壁照明用出射幅４１よりも広くした場合には、側壁面３に対する照明が弱くなってしまい、底面２の輪郭のみが強調された平面的な照明に変わってしまうため、側壁面３の広い範囲を積極的に面で照明するような効果が得られず、立体感や高級感のない照明となってしまう。なお、側壁照明用出射幅４１となるのは、概ね１ｍｍ前後の範囲に限られる。
【００３６】
（４）導光体１１と遮光部材１９とを、二色成形によって一体に成形された二色成形体５１とした。これにより、部品点数や組付工数を減らして部品コストや製造コストを削減することが可能となると共に、導光体１１と遮光部材１９との組み合わせ精度や、側壁照明用出射幅４１の精度を上げて、より均等で高品質な照明にすることが可能となる。
【００３７】
以上、この発明の実施例を図面により詳述してきたが、実施例はこの発明の例示にしか過ぎないものである。よって、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００３８】
１    カップホルダ
２    底面
３    側壁面
４    飲料容器
５    カップホルダ本体
１１  導光体
１２  光源
１３  光
１４  入光部
１５  反射部
１６  反射部
１７  出射部
１８  光拡散部
１９  遮光部材
３１  摩耗防止用高さ
４１  側壁照明用出射幅
５１  二色成形体
【図１】
2015229455.tif 000003
【図２】
2015229455.tif 000004
【図３】
2015229455.tif 000005
【図４】
2015229455.tif 000006
【図５】
2015229455.tif 000007
【図６】
2015229455.tif 000008
【図７】
2015229455.tif 000009